(57)【特許請求の範囲】
【請求項１】
支持枠（３１）に対し孔版原紙（１２）を巻回するシリンダ（１１）を回転可能に装着してシリンダユニット（３０）を構成し、フレーム（２３、２４）に対し案内機構（３６）を介して前記シリンダユニット（３０）を印刷位置と点検位置との間で往復動可能に装着し、前記シリンダ（１１）の外周に給送される用紙に対して前記孔版原紙を介してインクを供給して印刷を行うようにした孔版印刷機において、
前記シリンダユニット（３０）を印刷位置にロックするロック機構（４３）は、
シリンダユニット（３０）の印刷位置への移動の際に自動的にロックされる自動ロック機構（４４）と、
上記自動ロック機構（４４）のロック状態において、前記支持枠（３１）をフレーム（２４）に対し手動によりロックする手動ロック機構（４５）と、
前記自動ロック機構（４４）と手動ロック機構（４５）との間に設けられ、前記手動ロック機構（４５）のロック状態において、該手動ロック機構（４５）のロック状態が手動により解除されると、自動ロック機構（４４）のロック状態を解除するロック解除機構（４６）と
を備えるものである孔版印刷機におけるシリンダユニットのロック機構。
【請求項２】
請求項１において、前記自動ロック機構（４４）は、シリンダユニット（３０）の支持枠（３１）を構成する支持部材（３３）の左右一対の保護板（３３ａ、３３ｂ）の一方に設けられ、手動ロック機構（４５）は前記保護板（３３ａ、３３ｂ）の他方に設けられ、フレーム（２４）に取り付けた左右一対のロックピン（４２ａ、４２ｂ）をロックするようにしている孔版印刷機におけるシリンダユニットのロック機構。
【請求項３】
請求項２において、前記自動ロック機構（４４）は、
前記一方の保護板（３３ａ）に対し往復回動可能に取り付けられた自動ロックレバー（５１）と、
該自動ロックレバー（５１）を常にはアンロック位置へ付勢する付勢手段（５４）と、
前記自動ロックレバー（５１）がアンロック位置からその先端部に形成したロック凹部（５１ａ）に一方のロックピン（４２ａ）が係合されるロック位置に回動されたとき、該自動ロックレバー（５１）をロック位置に保持するとともに、ロック状態を解除するための自動ロック・解除レバー（５６）と、
前記保護板（３３ａ）と自動ロック・解除レバー（５６）との間に設けられ、かつ常には前記自動ロック・解除レバー（５６）をロック位置に付勢する付勢手段（５９）と
により構成され、
前記手動ロック機構（４５）は、他方の保護板（３３ｂ）に対し往復回動可能に、かつ他方のロックピン（４２ｂ）をロックするためのロック凹部（６１ａ）を有する手動ロックレバー（６１）により構成され、
前記ロック解除機構（４６）は、他方の保護板（３３ｂ）に所定角度範囲内で往復回動可能に支持されたロック解除レバー（６３）と、
前記ロック解除レバー（６３）を常にはロック状態を保持する方向に付勢する付勢手段（６５）と、
前記自動ロック・解除レバー（５６）とロック解除レバー（６３）を連結する連結バー（６７）と、
前記手動ロックレバー（６１）に設けられ、かつ前記ロック解除レバー（６３）をロック位置からアンロック位置に回動し得る作動突起（６１ｂ）とにより構成されている孔版印刷機におけるシリンダユニットのロック機構。
【請求項４】
請求項３において、前記支持部材（３３）と前記手動ロックレバー（６１）との間には、該手動ロックレバー（６１）がロック位置に保持された状態で、該ロック位置を保持する誤動作阻止機構（７０）が設けられている孔版印刷機におけるシリンダユニットのロック機構。
【請求項５】
請求項４において、前記誤動作阻止機構（７０）は、前記他方の保護板（３３ｂ）に装着された電磁ソレノイド（７１）と、該ソレノイド（７１）により前記手動ロックレバー（６１）の回動軌跡に進入してロック位置に保持するロック部材（７３）とにより構成されている孔版印刷機におけるシリンダユニットのロック機構。
【発明の詳細な説明】
【０００１】
【発明の属する技術分野】
この発明は、孔版原紙を使用して用紙上に印刷を施すための孔版印刷機において、シリンダユニットをフレームの印刷位置にロックするためのロック機構に関するものである。
【０００２】
【従来の技術】
一般に、孔版印刷機においては、フレームにシリンダが回転可能に支持され、そのシリンダの外周には所定印刷パターンの孔を形成した孔版原紙が巻回装着されている。そして、シリンダが回転されながら、その外周に用紙が給送されるとともに、シリンダ内から孔版原紙の孔を通して用紙上にインクが供給されて、その用紙上に所定印刷パターンの印刷が施されるようになっている。
【０００３】
このような構成による孔版印刷機においては、印刷に伴ってシリンダ自体や、その内部にインクが付着することから、定期的にメンテナンス、清掃等を行うために、シリンダを含むシリンダユニットがフレームに対して案内機構を介して挿脱可能に構成されている。これらシリンダユニット及びフレームの間にはロック機構が介在されており、シリンダユニットをフレームから所定位置まで抜き出した点検位置から印刷位置に移動されたとき、シリンダユニットをロック機構により印刷位置にロックするようになっている。
【０００４】
従来、前記ロック機構は以下に示すような構成となっている。シリンダユニットが点検位置から印刷位置に押動されたとき、フレームに形成したシリンダユニットの出し入れ用の開口の左右両側縁に設けた一対のロックピンに対し、シリンダユニットの支持枠側に設けた左右一対の自動ロック機構がロック状態に切り換えられるようになっている。又、このロック状態を解除する場合には、左右一対の自動ロック機構に架設連結された解除操作バーを操作することにより、両自動ロック機構のロック状態が同期して解除されるようになっている。
【０００５】
【発明が解決しようとする課題】
上記従来のシリンダユニットのロック機構は、左右一対の自動ロック機構を備えているので、シリンダユニットをフレームに対して安定してロックすることができる。しかし、左右のロック機構がいずれも自動ロックされる構造のため、左右一対のロックピンに対し一対のロックレバーが確実にロック位置に回動されたか否かを確認することが難しいという問題があった。又、ロック状態を解除する動作についても、一対のロックレバーが実際にロック位置からアンロック位置に移動されたか否かの確認をすることは必ずしも容易ではなかった。
【０００６】
この発明の目的は、上記従来の技術に存する問題点を解消して、ロック機構がロック状態に切り換えられたことを作業者が容易に確認することができるとともに、アンロック状態への切り換えを容易に確認することができる孔版印刷機におけるシリンダユニットのロック機構を提供することにある。
【０００７】
【課題を解決するための手段】
上記問題点を解決するために、請求項１に記載の発明は、支持枠に対し孔版原紙を巻回するシリンダを回転可能に装着してシリンダユニットを構成し、フレーム（２３、２４）に対し案内機構を介して前記シリンダユニットを印刷位置と点検位置との間で往復動可能に装着し、前記シリンダの外周に給送される用紙に対して前記孔版原紙を介してインクを供給して印刷を行うようにした孔版印刷機において、前記シリンダユニットを印刷位置にロックするロック機構は、シリンダユニットの印刷位置への移動の際に自動的にロックされる自動ロック機構と、上記自動ロック機構のロック状態において、前記支持枠をフレームに対し手動によりロックする手動ロック機構と、前記自動ロック機構と手動ロック機構との間に設けられ、前記手動ロック機構のロック状態において、該手動ロック機構のロック状態が手動により解除されると、自動ロック機構のロック状態を解除するロック解除機構とを備えるものであることを要旨とする。
【０００８】
請求項２に記載の発明は、請求項１において、前記自動ロック機構は、シリンダユニットの支持枠を構成する支持部材の左右一対の保護板の一方に設けられ、手動ロック機構は前記保護板の他方に設けられ、フレームに取り付けた左右一対のロックピンをロックするようにしていることを要旨とする。
【０００９】
請求項３に記載の発明は、請求項２において、前記自動ロック機構は、前記一方の保護板に対し往復回動可能に取り付けられた自動ロックレバーと、該自動ロックレバーを常にはアンロック位置へ付勢する付勢手段と、前記自動ロックレバーがアンロック位置からその先端部に形成したロック凹部に一方のロックピンが係合されるロック位置に回動されたとき、該自動ロックレバーをロック位置に保持するとともに、ロック状態を解除するための自動ロック・解除レバーと、前記保護板と自動ロック・解除レバーとの間に設けられ、かつ常には前記自動ロック・解除レバーをロック位置に付勢する付勢手段とにより構成され、前記手動ロック機構は、他方の保護板に対し往復回動可能に、かつ他方のロックピンをロックするためのロック凹部を有する手動ロックレバーにより構成され、前記ロック解除機構は、他方の保護板に所定角度範囲内で往復回動可能に支持されたロック解除レバーと、前記ロック解除レバーを常にはロック状態を保持する方向に付勢する付勢手段と、前記自動ロック・解除レバーとロック解除レバーを連結する連結バーと、前記手動ロックレバーに設けられ、かつ前記ロック解除レバーをロック位置からアンロック位置に回動し得る作動突起とにより構成されていることを要旨とする。
【００１０】
請求項４に記載の発明は、請求項３において、前記支持部材と前記手動ロックレバーとの間には、該手動ロックレバーがロック位置に保持された状態で、該ロック位置を保持する誤動作阻止機構が設けられていることを要旨とする。
【００１１】
請求項５に記載の発明は、請求項４において、前記誤動作阻止機構は、前記他方の保護板に装着された電磁ソレノイドと、該ソレノイドにより前記手動ロックレバーの回動軌跡に進入してロック位置に保持するロック部材とにより構成されていることを要旨とする。
【００１２】
【発明の実施の形態】
以下、この発明の実施形態を、図面に基づいて詳細に説明する。
図８は孔版印刷機の概略構成を示す。シリンダ１１は孔版印刷機の本体１０内のほぼ中央において回転軸１１ａを中心に時計方向に回転するように設けられ、その外周には孔版原紙１２が巻回装着されている。この孔版原紙１２には和紙と樹脂フィルムを重ね合わせた感熱式のものが使用され、孔版原紙１２上に所定の印刷パターンが焼き付けられ、樹脂フィルムが溶融されて、和紙のみが残ることにより、所定印刷パターンの孔が形成されている。
【００１３】
前記回転軸１１ａの下方位置に配設されたインクタンク１３は内部にインクが収容されるとともに、図示しない供給ポンプが接続されてシリンダ１１内部にインクを供給するようになっている。シリンダ１１下方位置に配設されたプレスローラ１４は、その周面がシリンダ１１外周に接触されながら支軸１４ａを中心に回転するように支持されている。プレスローラ１４と対向するようにシリンダ１１内に配設された押圧ローラ１５は、時計方向に回転しながら孔版原紙１２をプレスローラ１４表面に押圧している。
【００１４】
本体１０の後方（図８で右側）に装着された給紙カセット１６の内部には、複数枚の用紙１７が積層された状態で収容されている。これら用紙１７は、給紙カセット１６の下部において用紙１７を押圧して送り出すように配設された給紙ローラ１８の回転により、本体１０奥部へと一枚ずつ送り出されるようになっている。給紙カセット１６とシリンダ１１との間に設けられた上下一対の送りローラ１９及びガイド板２０ａは、給紙カセット１６内から送り出された用紙１７を案内してシリンダ１１とプレスローラ１４との間へ給送させる。そして、シリンダ１１及びプレスローラ１４が回転され、シリンダ１１内から孔版原紙１２の孔を通って用紙１７上にインクが供給されて、その用紙１７上に所定印刷パターンの印刷が施される。この印刷が施された用紙１７は、プレスローラ１４側方に配設されたガイド板２０ｂにより案内され、本体１０の前方（図８で左側）下部に配設された排紙トレイ２１へと排出されて、積み重なった状態で保持される。
【００１５】
前記シリンダ１１は、本体１０の側方から挿脱できるように構成されたシリンダユニット３０内に回転可能に装着されている。このシリンダユニット３０は、図２に示すように本体１０の一対の側壁を構成する一対のフレーム２３、２４の間に架設された左右一対のガイドレール２２により前後方向の往復動可能に装着されている。図１においてはシリンダユニット３０を基準にして前後と左右を矢印で示す。フレーム２４にはシリンダユニット３０の出し入れ用の開口２４ａが形成されている。そこで、このシリンダユニット３０の構成を図１〜図３に基づいて以下に説明する。
【００１６】
図１、２に示すように、シリンダユニット３０を構成する支持枠３１は、一端側（図１、２において前側）に配置された支持板３２と、後側に配置された支持部材３３と、支持板３２及び支持部材３３の両側部間に架設された断面Ｌ字状をなす左右一対の支持レール３４とから構成されている。支持板３２及び支持部材３３の中心部間には前記回転軸１１ａが軸受３５を介して回転可能に支持されており、この回転軸１１ａにシリンダ１１が取付けられている。
【００１７】
図１、３に示すように、支持部材３３の両側縁には左右一対の保護板３３ａ、３３ｂが折り曲げ形成され、これら保護板３３ａ、３３ｂ間の中央には前記インクタンク１３を収容するインクホルダー（図示略）が配設されている。シリンダ１１上方位置において、丸棒状をなす支持ロッド３７は支持板３２及び支持部材３３間に架設され、シリンダユニット３０を手動により印刷位置と点検位置との間で位置切り換えするようになっている。前記支持ロッド３７とフレーム２４との間には、図示しないが、シリンダユニット３０を図１に示す点検位置に停止する機構が装着されている。
【００１８】
上記した支持枠３１、シリンダ１１、回転軸１１ａ、インクホルダー（図示略）、インクタンク１３、支持ロッド３７等からシリンダユニット３０は構成されている。このシリンダユニット３０を左右から挟み込むようにフレーム２３、２４に架設された一対のガイドレール２２、２２は、側方に開口された凹状をなし、その内側に両支持レール３４が収納されることによりシリンダユニット３０を本体１０内に支持している。各支持レール３４の一端部及び各ガイドレール２２の端部にはそれぞれガイドローラ３４ａ，２２ａが設けられ、両ガイドローラ３４ａ，２２ａにより支持レール３４がガイドレール２２上を往復動されるようになっている。つまり、シリンダユニット３０は、ガイドレール２２及び支持レール３４に引き出し方向を案内されながら、本体１０内の印刷位置から側方へ引き出された点検位置へ移動できるように構成されている。
【００１９】
この実施形態では、前述したガイドレール２２、ガイドローラ２２ａ、支持レール３４、ガイドローラ３４ａなどによりシリンダユニット３０の案内機構３６が構成されている。
【００２０】
前記フレーム２４の開口２４ａの左右両側縁には、左右一対のブラケット４１を介してロックピン４２ａ、４２ｂが互いに対向するように所定間隔をおいて取り付けられている。
【００２１】
一方、シリンダユニット３０の支持部材３３には、前記ロックピン４２ａ、４２ｂに対しシリンダユニット３０を印刷位置にロックするためのロック機構４３が装着されている。このロック機構４３は支持部材３３の左側の保護板３３ａに装着した自動ロック機構４４と、右側の保護板３３ｂに装着した手動ロック機構４５と、さらに前記自動ロック機構４４及び手動ロック機構４５を連結するように装着されたロック解除機構４６とにより構成されている。
【００２２】
そこで、前記自動ロック機構４４の構成を以下に説明する。
図４に示すように前記保護板３３ａには自動ロックレバー５１が支持ピン５２により往復回動可能に支持され、この自動ロックレバー５１の一端部には前記ロックピン４２ａと対応するようにロック凹部５１ａが形成されている。前記自動ロックレバー５１の中央部にはばね収容部５３が一体に折り曲げ形成され、前記支持ピン５２に巻着した付勢手段としてのコイルばね５４の一端をばね収容部５３の端縁に係止し、コイルばね５４の他端を保護板３３ａに貫通支持した係止ピン５５に係止している。そして、コイルばね５４により自動ロックレバー５１がロックピン４２ａから離隔するアンロック位置に付勢保持されるようにしている。
【００２３】
前記保護板３３ａには前記ロックピン４２ａが進入し得る案内溝３３ｃが形成されている。前記保護板３３ａには自動ロック・解除レバー５６が支持ピン５７により往復回動可能に支持され、前記自動ロック・解除レバー５６に形成された係止突起５６ａにより前記自動ロックレバー５１の他端部に形成した係止凹部５１ｂを係止することにより、自動ロックレバー５１をロック位置に保持可能である。
【００２４】
前記自動ロック・解除レバー５６には回動範囲規制孔５６ｂが形成され、保護板３３ａに貫通固定した回動範囲規制ピン５８を回動範囲規制孔５６ｂに挿通することにより、自動ロック・解除レバー５６の傾動範囲を規制するようにしている。前記支持ピン５７の外周には付勢手段としてのコイルばね５９が巻着され、その一端は保護板３３ａに貫通固定した係止ピン６０に係止され、他端は自動ロック・解除レバー５６に切り起こし形成したばね受け５６ｃに係止されている。そして、コイルばね５９により自動ロック・解除レバー５６を常には自動ロックレバー５１のロック位置を保持する方向へ付勢するようにしている。
【００２５】
次に、前記手動ロック機構４５について図６及び図７を中心に説明する。
図６に示すように、保護板３３ｂには手動ロックレバー６１が支持ピン６２によって往復回動可能に支持されている。この手動ロックレバー６１の先端部にはロック凹部６１ａが形成されている。そして、図７に示すように保護板３３ｂに形成した案内溝３３ｄに対しフレーム２４側に設けたロックピン４２ｂが挿入された状態で、該ロックピン４２ｂに対し係脱し得るようにしている。
【００２６】
次に、ロック解除機構４６について説明する。
前記保護板３３ｂにはロック解除レバー６３が支持ピン６４によって往復回動可能に取り付けられている。保護板３３ｂには回動範囲規制ピン５８ａが貫通固定され、ロック解除レバー６３に形成した回動範囲規制孔６３ｂに回動範囲規制ピン５８ａを挿通することにより、ロック解除レバー６３の傾動角を所定角度範囲内に規制している。前記支持ピン６４にはコイルばね６５が巻着され、その一端は保護板３３ｂに貫通固定した係止ピン６６に係止され、他端はロック解除レバー６３に切り起こし形成したばね受け６３ｃに係止されている。
【００２７】
前記ロック解除レバー６３の上端部にはブラケット６３ｄが形成され、前記自動ロック・解除レバー５６の上端部に形成したブラケット５６ｄと前記ブラケット６３ｄには、図１、３に示すように連結バー６７がビス６８によって架設連結されている。前記コイルばね６５はロック解除レバー６３を支持ピン６４を中心にして反時計回り方向、すなわち連結バー６７を介して自動ロック・解除レバー５６をロック方向に付勢するようにしている。
【００２８】
前記手動ロックレバー６１には前記ロック解除レバー６３を押して該ロック解除レバー６３をロック位置からアンロック位置に切り換えるための作動突起６１ｂが形成されている。
【００２９】
前記保護板３３ａ，３３ｂの上端部間には作業者が把持してシリンダユニット３０を出し入れするための取手の機能を有する連結ロッド６９が架設連結されている。
【００３０】
図６に示すように、前記保護板３３ｂには手動ロックレバー６１のロック位置を保持する誤動作阻止機構７０が設けられている。この誤動作阻止機構７０は、電磁ソレノイド７１とそのプランジャ７２により連結ピン７４を中心に傾動するロックレバー７３とにより構成されている。そして、図７に示すように手動ロックレバー６１に形成した突起６１ｃの移動軌跡内にロックレバー７３の先端部が傾動して進入することにより手動ロックレバー６１が誤ってロック位置からアンロック位置に回動されないようになっている。
【００３１】
次に、前記のように構成した孔版印刷機について、その動作を説明する。
さて、図８に示す孔版印刷機で印刷を行うときには、まず、本体１０内部の給紙ローラ１８により給紙カセット１６から用紙１７が一対の送りローラ１９間へと送られ、ガイド板２０ａに案内されながら、回転するシリンダ１１及びプレスローラ１４間へ供給される。一方、シリンダ１１内においては、インクがインクタンク１３から供給ポンプを介して押圧ローラ１５表面に供給される。そして、押圧ローラ１５表面のインクは、プレスローラ１４に押圧されることでシリンダ１１外周に巻回された孔版原紙１２の孔を介して用紙１７上に染み出し、所定印刷パターンの印刷が施される。印刷後の用紙１７は、シリンダ１１及びプレスローラ１４の回転によりガイド板２０ｂへと送られ、このガイド板２０ｂに案内されながら排紙トレイ２１上へと排出され、保持される。
【００３２】
このようにして印刷が行われた後、シリンダ１１外周の孔版原紙１２の交換、シリンダ１１周縁に付着したインクの清掃等を行う場合には、本体１０内部からシリンダ１１を内包したシリンダユニット３０を取り出す必要がある。
【００３３】
図１はシリンダユニット３０が印刷位置から引き出されて、保守点検等を行う点検位置に保持された状態を示す。この状態においては前記自動ロック機構４４及び手動ロック機構４５がいずれもアンロック状態となっている。この状態において保守点検を終えたシリンダユニット３０をガイドレール２２に沿って印刷位置に押動すると、支持レール３４がガイドレール２２に案内されつつシリンダユニット３０が印刷位置に向かって移動する。
【００３４】
このシリンダユニット３０の移動が最終行程に近づくと、図４に示すように自動ロック機構４４の自動ロックレバー５１がロックピン４２ａと対応し、ロックピン４２ａにより自動ロックレバー５１が支持ピン５２を中心に図４の反時計回り方向にコイルばね５４の付勢力に抗して回動される。この過程では、前記自動ロックレバー５１の先端部に設けた案内突部５１ｃによってロックピン４２ａがロック凹部５１ａへ案内移動される。これにより、図５に示すように自動ロックレバー５１のロック凹部５１ａ内にロックピン４２ａが係合され、かつロックピン４２ａが案内溝３３ｃの内頂部に当接された状態となり、自動ロックレバー５１はほぼ垂直状態となる。このため、自動ロックレバー５１の係止凹部５１ｂに自動ロック・解除レバー５６の係止突起５６ａがコイルばね５９の付勢力により係止されて自動ロックレバー５１がロックピン４２ａを保持したロック状態に保持される。このようにして自動ロック機構４４はシリンダユニット３０の印刷位置への押動動作の最終行程により自動的にロック位置に切り換えられる。
【００３５】
次に、図６及び図７により手動ロック機構４５の動作について説明する。
図６は図４に示す自動ロック機構４４のアンロック位置と対応する手動ロック機構４５のアンロック状態を示す。この状態においてシリンダユニット３０がさらに前方へ押動されると、ロックピン４２ｂに案内溝３３ｄの内頂部が当接して係止される。この状態で手動ロックレバー６１を支持ピン６２を中心に時計回り方向に回動すると、手動ロックレバー６１のロック凹部６１ａが図７に示すようロックピン４２ｂに係合され、手動ロックレバー６１はロック状態に保持される。ロック解除レバー６３は、前述した図５に示す自動ロック・解除レバー５６のロック位置への傾動により連結バー６７を介して図７に示すロック位置に回動保持される。
【００３６】
図７に示す手動ロックレバー６１のロック状態は、突起６１ｃに対し電磁ソレノイド７１によりロックレバー７３が回動されて係止されるので、誤って手動ロックレバー６１のロック状態が解除されることはない。
【００３７】
図５及び図７に示す自動ロックレバー５１と手動ロックレバー６１のロック状態において、シリンダユニット３０を印刷位置から点検位置に移動させるため、ロック機構４３のロック状態を解除するには、図７において電磁ソレノイド７１によりロックレバー７３をアンロック位置に切り換える。
【００３８】
次に、手動ロックレバー６１を支持ピン６２を中心に反時計回り方向に回動する。すると、ロックピン４２ｂからロック凹部６１ａが離脱されてアンロック位置に切り換えられるとともに、手動ロックレバー６１に形成した作動突起６１ｂによりロック解除レバー６３が押動されるので、ロック解除レバー６３はコイルばね６５の付勢力に抗して支持ピン６４を中心に時計回り方向に回動され、この動作により連結バー６７を介して図５に示す自動ロック・解除レバー５６がコイルばね５９の付勢力に抗して同方向に回動される。このため、自動ロック・解除レバー５６の係止突起５６ａが自動ロックレバー５１の係止凹部５１ｂから離脱され、自動ロックレバー５１はコイルばね５４の付勢力により支持ピン５２を中心に時計回り方向に回動される。このため、ロック凹部５１ａ及び案内突部５１ｃがロックピン４２ａを前方へ押動するように回動され、自動ロックレバー５１のロック状態が解除される。
【００３９】
次に、前記のように構成したシリンダユニット３０のロック機構４３についてその効果を構成とともに列記する。
（１）前記実施形態では、ロック機構４３を自動ロック機構４４と手動ロック機構４５及び両機構を連結するロック解除機構４６とにより構成した。このため、手動ロック機構４５によりシリンダユニット３０を印刷位置にロックしたことを作業者の手により直接確認するようにロック動作を行うことができ、ロック状態の確認を容易に行うことができる。
【００４０】
又、手動ロック機構４５をロック位置からアンロック位置にする動作も作業者により行われるので、アンロック位置を確認することができる。このため、シリンダユニット３０のロック位置又はアンロック位置を容易に確認することができる。
【００４１】
（２）前記実施形態では、手動ロック機構４５の手動ロックレバー６１に対し作動突起６１ｂを一体に形成してロック解除レバー６３を押動するようにし、これによってロック位置からアンロック位置に切り換えるようにした。このため、ロック解除機構４６の機構を簡素化して製造及び組み付けを容易に行うことができる。
【００４２】
（３）前記実施形態では、保護板３３ａと保護板３３ｂとの間に連結ロッド６９を架設連結し、連結バー６７と連結ロッド６９を把持することにより、自動ロック機構４４のロック状態を解除するようにした。このため、手動ロックレバー６１を用いることなく自動ロック機構４４のロック状態を解除することもできる。
【００４３】
（４）前記実施形態では、手動ロックレバー６１の作動突起６１ｂは、ロック解除レバー６３と分離可能に構成されている。このため、自動ロック機構４４の自動ロック動作が行われる際には、ロック解除機構４６のロック解除レバー６３は連動するが、この連動運動が手動ロックレバー６１に干渉することはい。
【００４４】
なお、本実施形態は、次のように変更して具体化することも可能である。
・回動付勢手段を、例えば板ばね、スポンジ、ゴム等により構成してもよい。
・前記コイルばね５９又はコイルばね６５のいずれか一方を省略してもよい。
【００４５】
【発明の効果】
以上詳述したように、請求項１〜５記載の発明は、ロック機構がロック状態に切り換えられたことを作業者が容易に確認することができるとともに、アンロック状態への切り換えを容易に確認することができる。
【００４６】
請求項２記載の発明は、支持枠を構成する支持部材の左右一対の保護板を用いて自動ロック機構及び手動ロック機構を装着することができ、ロック状態を安定して保持することができる。
【００４７】
請求項３記載の発明は、ロック機構を簡素化することができる。
請求項４記載の発明は、手動ロックレバーのロック状態を確実に保持することができる。
【００４８】
請求項５記載の発明は、電磁ソレノイドにより手動ロックレバーをロック位置に保持することができる。
【図面の簡単な説明】
【図１】  この発明を具体化したシリンダユニットのロック機構を示す斜視図。
【図２】  シリンダユニットが印刷位置に移動された状態を示す左側面図。
【図３】  ロック機構を示す正面図。
【図４】  自動ロック機構のアンロック状態を示す側面図。
【図５】  自動ロック機構のロック状態を示す側面図。
【図６】  手動ロック機構のアンロック状態を示す側面図。
【図７】  手動ロック機構のロック状態を示す側面図。
【図８】  孔版印刷機の略体側面図。
【符号の説明】
１１…シリンダ、１２…孔版原紙、２４…フレーム、３０…シリンダユニット、３１…支持枠、３３…支持部材、３３ａ，３３ｂ…保護板、３６…案内機構、４２ａ，４２ｂ…ロックピン、４３…ロック機構、４４…自動ロック機構、４５…手動ロック機構、４６…ロック解除機構、５１…自動ロックレバー、５１ａ，６１ａ…ロック凹部、５４，５９，６５…付勢手段としてのコイルばね、５６…自動ロック・解除レバー、６１…手動ロックレバー、６１ｂ…作動突起、６３…ロック解除レバー、６７…連結バー、７０…誤動作阻止機構、７１…電磁ソレノイド、７３…ロック部材としてのロックレバー。
【図１】
0004364366.tif 000002
【図２】
0004364366.tif 000003
【図３】
0004364366.tif 000004
【図４】
0004364366.tif 000005
【図５】
0004364366.tif 000006
【図６】
0004364366.tif 000007
【図７】
0004364366.tif 000008
【図８】
0004364366.tif 000009